Podtech/llm-jp-corpus-v4-ja_patent huggingface dataset:
(57)【要約】      （修正有）【課題】光の拡散、分散性の優れた透光カバーを備えた自動車用ランプの提供。【解決手段】自動車に取付け可能の基盤１上に反射板２を配し、この反射板２より多数の発光ダイオード３を整列して突設すると共に、前記発光ダイオード３を被覆して透光させる透光カバー４の内側面の前記発光ダイオード３に対向した位置にシリンドリカル状Ａの凸レンズ部５を形成して成ることを特徴とする自動車用ランプ。【選択図】図２
0003113900.tif 000002
【実用新案登録請求の範囲】
【請求項１】
自動車に取付け可能の基盤上に反射板を配し、この反射板より多数の発光ダイオードを整列して突設すると共に、前記発光ダイオードを被覆して透光させる透光カバーの内側面の前記発光ダイオードに対向した位置にシリンドリカル状の凸レンズ部を形成して成ることを特徴とする自動車用ランプ。
【請求項２】
シリンドリカル状の凸レンズ部は、透光カバーの内側面に、１ないし数個の発光ダイオードの対向位置に沿って複数連設して成ることを特徴とする請求項１記載の自動車用ランプ。
【考案の詳細な説明】
【技術分野】
【０００１】
本考案は、各種自動車に取付けられる自動車用ランプに関する。
【背景技術】
【０００２】
各種自動車、特に貨物用トラックには、その側面に車幅燈などの小型のランプが附設されている（例えば、特許文献１参照。）。
【０００３】
この小型ランプは、赤色あるいは青色など好みの彩光が発光できるようになっており、フィラメント光に代り、最近は、発光ダイオード（ＬＥＤ）が広く用いられている。
【特許文献１】実用新案登録第３０７７１８３号公報
【考案の開示】
【考案が解決しようとする課題】
【０００４】
ところで、光源としての発光ダイオードは、消費電力も少く耐久性も高いので、経済性に優れているが、光の直進性により、透光カバーに十分な分散性を与えないと、多数の配設された発光ダイオードより発光される光が均等に分散しないという不都合があった。
【０００５】
本考案は、叙上の点に着目して成されたもので、光の拡散、分散性の優れた透光カバーを備えた自動車用ランプを提供することを目的とする。
【課題を解決するための手段】
【０００６】
本考案は、以下の構成を備えることにより、上記課題を解決できる。
【０００７】
（１）自動車に取付け可能の基盤上に反射板を配し、この反射板より多数の発光ダイオードを整列して突設すると共に、前記発光ダイオードを被覆して透光させる透光カバーの内側面の前記発光ダイオードに対向した位置にシリンドリカル状の凸レンズ部を形成して成ることを特徴とする自動車用ランプ。
【０００８】
（２）シリンドリカル状の凸レンズ部は、透光カバーの内側面に、１ないし数個の発光ダイオードの対向位置に沿って複数連設して成ることを特徴とする前記（１）記載の自動車用ランプ。
【考案の効果】
【０００９】
本考案によれば、多数の発光ダイオードの光は、透光カバーの内側面に設けた凸レンズ部を介して、外方へ拡散して透過するので、光が分散して広角に進むと共に、複数の発光ダイオードに対しては、シリンドリカル構造の凸レンズ部により、全体として分散した光線となって点燈するので、透光カバーの外形形状にあった光源の大きさとなり、違和感なく平均化された透過光をもって照射させることができる。
【考案を実施するための最良の形態】
【００１０】
以下に本考案を実施するための最良の形態を、実施例に基づいて説明する。
【実施例】
【００１１】
図１ないし図３は、本考案の一実施例を示す自動車用ランプを示す一部切欠平面図、一部縦断正面図、およびIII−III線断面図である。各図において説明する。
【００１２】
１は自動車の側面に取付けることができる基盤、２はこの基盤１の表面に配設される反射板、３は基盤１に列設した発光ダイオード、４はこの発光ダイオード３に被覆され、基盤１に固定される透光カバー、５は透光カバー４の内側面に突出させた凸レンズ部で、前記発光ダイオード３の対向位置にシリンドリカル状Ａに設けられている。図示では、発光ダイオード３は反射板２の中央に一列に配列してあり、これらの各発光ダイオード３の上方で、透光カバー４の内側面の夫々の対向位置に隣接して多数のシリンドリカル状Ａの凸レンズ部５が配設してある。なお、透光カバー４は、例えばポリカーボネートなどのプラスチック素材で成形加工するものであって、ビスなど止具６を用いて開口端を基盤１に着脱係止できる。７は透光カバー４内側面の他の個処に多数連続して形成した凹凸条状の光散乱部を示す。
【００１３】
また、前記発光ダイオード３は、その必要数を基盤１の中央凹処８内に硬質樹脂９と共に一体的に組み込み、裏板１０で閉止させてある。１１は発光ダイオード３の導線、１２は発光ダイオード３と接続されるプリント基板、１３は自動車側面への取付用ビスである。
【００１４】
以上の構成において、自動車側面への取付用ビス１３を用いて取付けると共に、導線１１を自動車用の点燈スイッチと接続して使用に供することができる。
【００１５】
発光ダイオード３が発光すると、この発光ダイオード３の対向位置には透光カバー４の内側面にシリンドリカル状Ａの凸レンズ部５が設けられているので、発光ダイオード３の直線光線は、レンズ作用を受けて左右に分散し、隣り合う発光ダイオード３は、均一な光となって外部に輝き、全体として均一に分散した光として照射することとなる。
【００１６】
したがって、直線性の強い発光ダイオード３も、隣り合う複数の光線が分散することにより、違和感のない均一した分散光として外部に照射できる。
【００１７】
また、発光ダイオード３は、好みの色の光を照射できるので、透光カバー４は、無色透明のものを安価に提供できる。
【００１８】
図４ないし図６は、他の実施例を示すもので、反射板２に対し、二列に発光ダイオード３を配設したもので、透光カバー４には発光ダイオード３の相対向位置に、シリンドリカル状Ａの凸レンズ部５を設けたものである。この上下二列の発光ダイオード３に対し、それぞれ１個の凸レンズ部５を対向させることにより、多数の凸レンズ部５を並設することができる。その他の構成は、前記実施例と同一であるため、同一の符号を付して説明の詳細は省いてある。なお、自動車への取付けは、止具６が兼用している。
【００１９】
この場合の実施例も前記した実施例と同様に、発光ダイオード３の直線光線を左右に有効に分散させて、均等した光源として外部に照射させることができる。
【図面の簡単な説明】
【００２０】
【図１】本考案の一実施例を示す一部切欠平面図
【図２】図１の一部縦断正面図
【図３】図２のIII−III線断面図
【図４】本考案の他例を示す要部の断面説明図
【図５】本考案のさらに他例を示す要部の断面説明図
【図６】図５のVI−VI線断面図
【符号の説明】
【００２１】
１  基盤
２  反射板
３  発光ダイオード
４  透光カバー
５  凸レンズ部
Ａ  シリンドリカル状
【図１】
0003113900.tif 000003
【図２】
0003113900.tif 000004
【図３】
0003113900.tif 000005
【図４】
0003113900.tif 000006
【図５】
0003113900.tif 000007
【図６】
0003113900.tif 000008
(57)【要約】    【課題】  市販のライターに施された模様に満足できず、自分のデザインに基づいてライターの側面を飾り、自分だけの装飾したライターを持つようにする。【解決手段】  ライターに同封している、裏面に接着剤が塗布された多色で多形をした装飾体３１が配設された樹脂盛りシール３から装飾体３１を剥がし、絵柄のないライター２側面に自分で考えたデザインに沿って装飾体３１を張り合わせていくことで、自分独自の装飾ライター１を得るとともに、もの作りの楽しさを得られる。【選択図】      図１
0003113847.tif 000002
【実用新案登録請求の範囲】
【請求項１】
液体燃料を貯蔵し燃料の開閉を制御するバルブを内蔵した本体と、該本体の上部に配設された炎が出る火口を有する金属キャップと、前記バルブの制御を司り、圧電装置を働かせ炎を発生させる操作ボタンとを備えたライターと、裏面に接着剤が塗布された多色で多形の複数の装飾体とからなり、ライターの側面に装飾体を貼付して自在に装飾を完成させてなる装飾ライター。
【請求項２】
装飾体が樹脂盛りシールであることを特徴とする請求項１記載の装飾ライター。
【請求項３】
装飾体がストーン入りシールであることを特徴とする請求項１記載の装飾ライター。
【請求項４】
装飾体がラメ入りシールであることを特徴とする請求項１記載の装飾ライター。
【請求項５】
装飾体がシールであることを特徴とする請求項１記載の装飾ライター。
【考案の詳細な説明】
【技術分野】
【０００１】
本考案は、ライターの側面に持ち主自身が個性を生かしたオリジナルなライターを創作可能とした装飾ライターに関する。
【背景技術】
【０００２】
通常ライターの表面には、製造メーカー自身が施した模様あるいはキャラクターの絵柄が附されている。従って、ライター購入者はメーカーが用意した画一的な絵柄や模様の中から否応なしに選ばざるを得なかった。
この現状に変化を与えるべく、特許文献１にはライターの外表面に樹脂に微白ビーズ顔料を混入したスエード調塗料を塗膜させて、ライター表面をざらつかせると共に輝光感を与えている。また特許文献２更に特許文献３には胴体が透明となったライター内に、光反射部材あるいは蛍光部材の装飾的形態を有する浮遊物を入れ、さらにライター表面に絵柄・文字等のデザインを施すことをしている。
【特許文献１】実開平３−６４３５０号公報
【特許文献２】実用新案登録３０６３２０７号公報
【特許文献３】実用新案登録３０９７７５６号公報
【考案の開示】
【考案が解決しようとする課題】
【０００３】
特許文献１記載のライターは表面に輝光感があってライター購入者に目新しさを与えてくれるが、ライター購入者自身が自分の好みに意匠を施す事はできない。また、ライター表面にスエード調塗料を塗膜させるため、塗料による作業所の汚れと乾燥に時間がかかり生産性に課題がある。
【０００４】
特許文献２更に特許文献３に記載のライターは光反射部材あるいは蛍光部材の装飾的形態を有する浮遊物を入れ、さらにライター表面に絵柄・文字等のデザインを施すことをしているので、ライター購入者に目新しさを与えてくれるが、ライター購入者自身が自分の好みに意匠を施す事はできない。
【０００５】
そこでライター購入者自身が比較的容易に自分好みの模様を施す事が出来、かつ汚すことがないようにした本考案の装飾ライターを提供する。
【課題を解決するための手段】
【０００６】
液体燃料を貯蔵し燃料の開閉を制御するバルブを内蔵した本体と、該本体の上部に配設された炎が出る火口を有する金属キャップと、前記バルブの制御を司り、圧電装置を働かせ炎を発生させる操作ボタンとを備えたライターと、裏面に接着剤が塗布された多色で多形の複数の装飾体とからなり、被装飾体の裏面の離型紙を剥がして、ライターの側面に貼付して自在に装飾を完成させるようにした。
【０００７】
さらに、被装飾体をラメ入りシールまたはストーン入りシールにした。
【考案の効果】
【０００８】
以上のような本考案の装飾ライターにおいては、装飾体ビーズを適宜切断してライターの側面に貼ることにより、自在な模様に貼ることで自分独自の装飾ライターを手軽に、かつ汚すことなく得ることが出来る。
【０００９】
又、模様を施したライター側面のラベルにシールを貼り合わせるだけで異なる模様を得ることが出来、特殊技術が不要であるから、もの作りの楽しさを体験できる。
【考案を実施するための最良の形態】
【００１０】
図１に示す装飾ライター１は、側面に模様の施されていないライター２と、図２に示すように、透明な袋に入れられシートに貼り付けられた装飾体３１が配設された別体の樹脂盛りシール３とからなる。
【００１１】
ライター２は、液体燃料を貯蔵し燃料の開閉を制御するバルブを内蔵した合成樹脂製本体と、該本体の上部に配設された炎が出る火口を有する金属キャップと、前記バルブの制御を司り、圧電装置を働かせ炎を発生させる操作ボタンとを備えたものであるが、金属製のライターであってもよい。
【００１２】
樹脂盛りシール３は、合成樹脂から成り、例えば４ミリ、６ミリ、１０ミリ、１６ミリと大きさを異にし、ピンク、ブルー、紫等の異なる様々な色をしたハート型の装飾体３１が貼られたシートとなっている。装飾体３１は単にハート型の１種類だけでなく、星形などの好みの形状がセットされていてもよい。
【００１３】
自分でイメージした模様をライター２の側面に描いた後、透明な袋から樹脂盛りシール３を取り出し、樹脂盛りシール３の裏面の離型紙３２を剥がして装飾体３１単独とし、接着剤が塗布された面をライター２側面の線に沿って張り合わせ、指で押して剥がれないようにする。これにより、自分独自の模様を施した装飾ライター１を得ることが出来るとともに、作り上げる際に接着剤を塗ることがなく周囲を汚すことがない。
【００１４】
他の実施例としては、図３に示すように、初めから張り付け位置が描かれた台紙を側面に貼ってあるライター２と、大きさと色及び形が異なるシートが貼られている別袋に入ったラメ入りシール５とからなり、ラメ入りシール５裏面の離型紙を剥がして、接着剤が塗布された面をライター側面の位置に張り合わせ、指で押して剥がれないようにした装飾ライター６である。
【００１５】
装飾用のシールとして、ストーン入りシールも同様にして自分で作成することにより、他では見られない独特の装飾ライターを得ることが出来る。
【図面の簡単な説明】
【００１６】
【図１】本考案に係る装飾ライターである。
【図２】装飾用シールの一例である樹脂盛りシールである。
【図３】装飾ライターの他の実施例である。
【符号の説明】
【００１７】
１      装飾ライター
２      ライター
３      樹脂盛りシール
３１    装飾体
【図１】
0003113847.tif 000003
【図２】
0003113847.tif 000004
【図３】
0003113847.tif 000005
(57)【要約】【課題】使用者の思う通りに、掛け台の鍵整理箱においての位置と数量と距離とを自由に調整できる。【解決手段】鍵整理箱の内部にはフックを持つ掛け台が取付けてあり、前記掛け台には磁性物が設けてあり、前記磁性物により掛け台が鍵整理箱の収容空間内に吸着されることを特徴とする磁力付き鍵掛け台。【選択図】  図３
0003113843.tif 000002
【実用新案登録請求の範囲】
【請求項１】
鍵整理箱の内部にはフックを持つ掛け台が取付けてあり、前記掛け台には磁性物が設けてあり、前記磁性物により掛け台が鍵整理箱の収容空間内に吸着されることを特徴とする、
磁力付き鍵掛け台。
【請求項２】
前記掛け台には窪みが設けてあり、前記窪み内に磁性物が嵌められることを特徴とする、請求項１に記載の磁力付き鍵掛け台。
【請求項３】
鍵整理箱の収容空間の対向する内壁面には係り突起が設けてあり、掛け台の両端が前記係り突起に係って定位されることを特徴とする、請求項１に記載の磁力付き鍵掛け台。
【考案の詳細な説明】
【技術分野】
【０００１】
本考案は、鍵を掛けるための台座に係り、特に、鍵整理箱内に使用される鍵掛け台に関するものである。
【背景技術】
【０００２】
目下、国民の鍵を使用する頻度が高くなり、且つ所有する鍵の種類と数量が極めて多いので、全ての鍵を一つの鍵リングに集中することが一般であるが、この方法により、鍵を捜す時間は低減できるが、多い鍵を一つの鍵リングに集中すると、全体の重量は重くなり、且つ鍵の携帯が難しくなる。
【０００３】
図１と図２に示すのは、従来の鍵整理箱１０であり、あれは、鍵整理箱１０の本体の予定箇所で掛け突起１１が設けてあり、掛け台１２の掛け部１３が前記掛け突起１１に掛けて定位し、且つ掛け台１２の前面の予定箇所には複数のフック１４が一体成形してあり、前記フック１４に鍵リング１５が掛けられる。
【０００４】
鍵整理箱１０の掛け突起１１はプレス加工によって成形され、且つ前記掛け突起１１の位置が事前に設計されたので、使用者は掛け台１２の鍵整理箱１０においての位置を調整することができない。
【０００５】
また、台湾実用新案第１２７３１５号で提案されるもの（図示せず）は、貫通孔により壁面に固定されるが、壁に穴あけをすることが必要であるので、極めて不便である。
【考案の開示】
【考案が解決しようとする課題】
【０００６】
本考案の主な目的は、使用者の思う通りに、掛け台の位置と数量と距離とを自由に調整できる磁力付き鍵掛け台を提供する。
【課題を解決するための手段】
【０００７】
上記目的を達成するためになされた本願の第１考案は、鍵整理箱の内部にはフックを持つ掛け台が取付けてあり、前記掛け台には磁性物が設けてあり、前記磁性物により掛け台が鍵整理箱の収容空間内に吸着されることを特徴とする磁力付き鍵掛け台であることを要旨としている。
【０００８】
本願の第２考案では、前記掛け台には窪みが設けてあり、前記窪み内に磁性物が嵌められることを特徴とする本願の第１考案に記載の磁力付き鍵掛け台であることを要旨としている。
【０００９】
本願の第３考案では、鍵整理箱の収容空間の対向する内壁面には係り突起が設けてあり、掛け台の両端が前記係り突起に係って定位されることを特徴とする本願の第１考案に記載の磁力付き鍵掛け台であることを要旨としている。
【考案の効果】
【００１０】
本考案に係る磁力付き鍵掛け台によれば、次のような効果がある。
（１）使用者の鍵リングの全体の大きさを見て、掛け台の鍵整理箱においての位置と距離とを自由に調整できる。
【００１１】
（２）使用者の思う通りに、掛け台の鍵整理箱においての数量を自由に調整できる。
【考案を実施するための最良の形態】
【００１２】
以下、添付図面を参照して本考案の好適な実施の形態を詳細に説明する。
【実施例１】
【００１３】
まず、図３を参照する。本考案は、一つの鍵整理箱２０と、複数の掛け台３０とを含む。
【００１４】
前記鍵整理箱２０は、蓋を有する金属製の箱を例にして説明し、且つ前記鍵整理箱２０の内部には収容空間２１を有する。
【００１５】
前記掛け台３０は、矩形を呈し、その前面に複数のフック３１が一体成形され、予定箇所に前記掛け台３０を貫通した窪み３２が二つ設けてあり、前記窪み３２内には磁性物３３が嵌めて設けてあり、前記磁性物３３により掛け台２０が鍵整理箱２０内に吸着される。
【００１６】
また、本考案に係る磁力付き鍵掛け台の使用方法を説明する。図３に示すように、前記磁性物３３により本考案に係る掛け台３０は鍵整理箱２０内に吸着されるので、鍵整理箱２０内に前記掛け台３０が安定に固定され、鍵リング４０が掛け台３０のフック３１に掛ける。
【実施例２】
【００１７】
本考案に係る実施例２は、図４に示すように、鍵整理箱２０の収容空間２１の対向する内壁面には二組の係り突起２２が設けてあり、掛け台３０の両端が前記係り突起２２に係って定位され、だから、前記掛け台３０は鍵整理箱２０内にもっと安定に固定することができる。
【実施例３】
【００１８】
また、本考案に係る掛け台３０は単独に使用することもできる。前記掛け台３０は、磁性物３３により鉄鋼素材などで作製された電気や窓やドアや家具に吸着して使用することができる。図５に示すのは、本考案に係る掛け台３０が冷蔵庫５０に吸着される。
【図面の簡単な説明】
【００１９】
【図１】従来の鍵掛け台と鍵整理箱との組合を示す概略図である。
【図２】従来の鍵掛け台と鍵整理箱との組合を示す断面図である。
【図３】本考案の分解斜視図である。
【図４】本考案に係る実施例２の斜視図である。
【図５】本考案に係る実施例３の使用状態を示す斜視図である。
【符号の説明】
【００２０】
１０      鍵整理箱                １１      掛け突起
１２      掛け台                  １３      掛け部
１４      フック                  １５      鍵リング
２０      整理箱                  ２１      収容空間
２２      係り突起                ３０      掛け台
３１      フック                  ３２      窪み
３３      磁性物                  ４０      鍵リング
５０      冷蔵庫
【図１】
0003113843.tif 000003
【図２】
0003113843.tif 000004
【図３】
0003113843.tif 000005
【図４】
0003113843.tif 000006
【図５】
0003113843.tif 000007
(57)【要約】      （修正有）【課題】頭の洗髪に於て、髪への損傷を少なくし、かつ頭皮への快適なマッサージ効果を与えて有効に皮脂や毛根を洗浄する頭皮用の洗浄ブラシの提供。【解決手段】弾力性のある柱状ピン本体２の先端を円形に開口して盲孔部３とし、頭皮との接触面に角の丸味を取っていない円形コーナー部４を形成した複数のピン本体２を、上部に握り手６を有した自在性のある素材の台座１に立設した構成であり、かつ弾力性のあるピン本体２の先端円形コーナー部４に縦方向の切込み部５を複数有する構成とすることもある。【選択図】図１
0003113002.tif 000002
【実用新案登録請求の範囲】
【請求項１】
弾力性のあるピン本体２の先端を開口して盲孔部３とし、頭皮との接触面に円形コーナー部４を形成した複数のピン本体２を自在性が有る素材の台座１に立設した組み合せ構成を特徴とした頭皮洗浄ブラシ。
【請求項２】
弾力性のあるピン本体２の先端に縦方向の切込み部５を複数有する構成を特徴とした請求項目１の頭皮洗浄ブラシ。
【考案の詳細な説明】
【技術分野】
【０００１】  本考案は頭の洗髪に於て、髪への損傷を少なくし、かつ頭皮への快適なマッサージ効果を与えて有効に皮脂や毛根を洗浄することを目的として、弾力性のあるピン本体２の先端を盲孔形成して、頭皮接触面を円形コーナー加工し摩擦効果を高め、かつ自在性のある台座１と組み合せて頭皮との接触面を広めた頭皮用の洗浄ブラシに関するものである。
【背景技術】
【０００２】  従来の頭皮洗浄ブラシはブラシの先端が丸い構造や尖った構造が一般的であったし、最も近似する実用新案出願平０４−７２８０４、考案の名称「薬液塗着兼マッサージ用ブラシ」についてはピン本体の先端が開口し盲孔部を形成した構成となっているがピン本体先端部の円形コーナー加工による摩擦性の向上や、自在性のある台座と組み合せによる接触面積の向上を加味した構成ではないし、盲孔部形成の開口部の用途は薬液塗着を主とするものであり頭皮の洗浄を主目的とするものでもなかった。
【考案の開示】
【考案が解決しようとする課題】
【０００３】  従来の頭皮洗浄ブラシは下述するような問題があった。
（イ）ブラシの先端が丸い構造や尖った構造など頭皮との摩擦係数が少ない構造に於ては頭皮への接触性や摩擦性が不十分で、皮脂や毛根の汚れ除去が困難であった。
（ロ）同様に従来の頭皮との摩擦係数の少ない構造では頭皮への接触感や摩擦感が不十分で、マッサージによる快適性などに欠けていた。
本考案は以上のような欠点をなくすために考案されたものである。
【課題を解決するための手段】
【０００４】    いまその課題を解決するための構成を説明すれば、
請求項１について弾力性のあるピン本体２の先端を開口して盲孔部３とし、頭皮との接触面に円形コーナー部４を形成した複数のピン本体２を自在性が有る素材の台座１に立設し、台座１には握り手６を上部に設けた組み合せ構成。【０００５】    請求項２については弾力性のあるピン本体２先端の円形コーナー部４に縦方向の切り込み部５を複数有する構成である。
【考案の効果】
【０００６】    請求項１の弾力性のあるピン本体２の先端を開口して盲孔部３とし、頭皮との接触面に円形コーナー部４を形成した複数のピン本体２を自在性が有る素材の台座１に立設することにより次の効果があります。
（イ）頭皮への接触性や摩擦性が向上し、皮脂や毛根の汚れ除去効果が向上します。
（ロ）頭皮への接触感や摩擦感が良くなり、快適なマッサージ効果を得られます。【０００７】    請求項２の弾力性のあるピン本体２の先端に縦方向の切込み部５を複数有する構成により次の効果があります。
（イ）頭皮への接触部が多点極小化するため、接触性や摩擦性がより向上し、かつ快適なマッサージ効果と皮脂や毛根の汚れ除去効果を高めます。
【考案を実施するための最良の形態】
【実施例】
【０００８】  以下、本考案の実施例について説明する。
弾力性のある柱状ピン本体２の先端を円形に開口して盲孔部３とし、頭皮との接触面に角の丸味を取っていない円形コーナー部４を形成した複数のピン本体２を、上部に握り手６を有した自在性のある素材の台座１に立設した構成であり、かつ弾力性のあるピン本体２の先端円形コーナー部４に縦方向の切込み部５を複数有する構成とすることもある。【０００９】  本考案の実施例は上述の如き構成からなるものであるから、頭皮の有効な洗浄ばかりか快適なマッサージ効果を得ることが出来ます。
【図面の簡単な説明】
【００１０】
【図１】本考案の頭皮洗浄ブラシの一例を示す中央断面図
【図２】本考案の請求項１のピン本体２の一例詳細を示す斜視図
【図３】本考案の請求項２のピン本体２の一例詳細を示す斜視図
【符号の説明】
【００１１】  １は台座
２はピン本体
３は盲孔部
４は円形コーナー部
５は切り込み部
６は握り手
【図１】
0003113002.tif 000003
【図２】
0003113002.tif 000004
【図３】
0003113002.tif 000005
(57)【要約】      （修正有）【課題】眼鏡のワタリを誰もが簡単に取り付け取りはずしのできる眼鏡を提供し、しかも，形や色の違うワタリに取り替えることにより眼鏡全体のデザイン性を高める眼鏡を提供すること。【解決手段】バネ性，弾力性のあるワタリを湾曲させ，眼鏡本体に設けた差込口に差し込む。【選択図】図１
0003113012.tif 000002
【実用新案登録請求の範囲】
【請求項１】
眼鏡枠１の裏側上部に設けた差込口５、６に、バネ性、弾力性のある素材で作られたワタリ２を内側に湾曲させ、差込口５、６にワタリ２の切り込みを入れた差込部３、４を差し込み、湾曲させた反発力により固定することを特徴とする、眼鏡枠。
【請求項２】
眼鏡枠１の裏側上部に設けた差込口５、６に、バネ性、弾力性のある素材で作られたワタリ２を内側に湾曲させ、差込口５、６にワタリ２の切り込みを入れた差込部３、４を差し込み、湾曲させた反発力により固定することを特徴とする眼鏡枠において、ワタリ２を湾曲することで着脱取替を可能にしたことを特徴とするワタリ取替式眼鏡枠。
【考案の詳細な説明】
【技術分野】
【０００１】
本考案は、形状や材質の違うワタリを誰もが簡単に着脱でき、取り替えることにより眼鏡のデザインを楽しむことができるワタリ取替式眼鏡に関するものである。
【背景技術】
【０００２】
従来の眼鏡では、ワタリは、眼鏡枠として一体化していた。そのためワタリは眼鏡枠にロー付け等で固定する方法が考えられてきた。
【０００３】
そのため、ワタリの破損が眼鏡全体の破損と思われたリ、ワタリの形状や材質の変更は不可能と考えられてきた。
【考案の開示】
【考案が解決しようとする課題】
【０００４】
本考案は、前述の問題を解決するため、ワタリを誰もが簡単に取り付け、取りはずしができることができる眼鏡をつくることを技術的課題とした。
【課題を解決するための手段】
【０００５】
本考案が上記課題を解決するために採用した手段を添付図面を参照して説明すれば、次のとおりである。
【０００６】
すなわち  本考案は、眼鏡本体１の前枠裏側上部に差込口５、６を設け、バネ性、弾力性のある素材で作られたワタリ２を内側に湾曲させ、切り込みを入れた差込部３、４をそれぞれ差込口５、６に差し込む。この際、差込口５と６の間隔７より、ワタリの長さ８を長くしておく。これによりワタリ２を湾曲させた反発力により  眼鏡枠１に固定した。
【考案の効果】
【０００７】
以上，実施例を挙げて説明したとおり，本考案によれば、ワタリを湾曲させることにより，誰もが簡単に着脱できる，また、様々な形状や色のワタリを持っていれば、それを取り替えることによってイメージの変化を図ることができる。
【実施例】
【０００８】
ワタリ２の太さを細くしたり，厚みを薄くしたりすることにより湾曲性を高め、より簡単な取り付け取りはずしを可能とした。差込部３、４の形状と差込口５、６形状を丸以外で同形とすることにより、ワタリをより固定させた。
【０００９】
ワタリの形状を変えたり，材質を変えたり，色を変えたりすることにより、デザイン性やファッション性を高めた。
【図面の簡単な説明】
【００１０】
【図１】本考案実施例における眼鏡。
【符号の説明】
【００１１】
１  眼鏡本体
２  ワタリ
３      〃  差し込み部
４      〃  差し込み部
５  差込口
６  差込口
７  間隔
８  ワタリの長さ
【図１】
0003113012.tif 000003
(57)【要約】      （修正有）【課題】構造が簡単で、誰でも簡単にレンズを着脱できる眼鏡の提供。【解決手段】眼鏡下枠１にバネ性，弾力性のある上枠２をピンやネジ等３で取り付け、３を支点に回転できるようにする。下枠１に結合部４をつくり、上枠２にも結合部５をつくり、結合させる。下枠１の開口部の幅７より、上枠10の開口部の幅８を少し狭くしておく。これにより、外に少し広げて結合させた上枠２の内側への力により、レンズ６を固定した。【選択図】図１
0003113013.tif 000002
【実用新案登録請求の範囲】
【請求項１】
眼鏡下枠１にバネ性、弾力性のあるの上枠２をピンやネジ等３で取り付け、３を支点に回転させ、下枠１の結合部４に上枠２の結合部５と結合させ、レンズ６を固定することを特徴とする眼鏡枠。
【請求項２】
眼鏡下枠１にバネ性、弾力性のあるの上枠２をピンやネジ等３で取り付け、３を支点に回転させ、下枠１の結合部４に上枠２の結合部５と結合させ、レンズ６を固定することを特徴とする眼鏡枠において、上枠２を３を支点に上方に回転させ、レンズ６の着脱を可能にしたことを特徴とするレンズ取替式眼鏡枠。
【考案の詳細な説明】
【技術分野】
【０００１】
本考案は、形状や色の違うレンズを誰もが簡単に着脱でき、取り替えることにより眼鏡のデザインを楽しめ，さらに実用性を高めたレンズ取替式眼鏡に関するものである。
【背景技術】
【０００２】
従来の眼鏡では、レンズは眼鏡と一体化していた。そのため眼鏡枠に、ネジや糸などで固定する方法が考えられてきた。
【０００３】
そのため、レンズの形や色を変えるということは，専門家以外不可能、と考えられてきた。
【考案の開示】
【考案が解決しようとする課題】
【０００４】
本考案は、前述の問題を解消するため、誰もが簡単にレンズを取り付け、取りはずしができる眼鏡を作ることを技術的課題とした。
【課題を解決するための手段】
【０００５】
本考案が上記課題を解消するために採用した手段を添付図面を添付図面を参照して説明すれば、次のとおりである。
【０００６】
すなわち  本考案は、眼鏡下枠１にバネ性，弾力性のある上枠２をピンやネジ等３で取り付け、３を支点に回転できるようにする。下枠１に結合部４をつくり、上枠２にも結合部５をつくり、結合させる。
【０００７】
この際、下枠１の開口部の幅７より、上枠10の開口部の幅８を少し狭くしておく。これにより、外に少し広げて結合させた上枠２の内側への力により、レンズ６を固定した。
【考案の効果】
【０００８】
以上、実施例を挙げて説明したとおり、本考案によれば眼鏡枠を上枠と下枠に分け、上枠を開くことにより、誰もが簡単にレンズの着脱ができる。また、色や形の違うレンズを持っていれば、それを変えることによって、イメージや用途の変化を図ることができる。
【実施例】
【０００９】
上枠２にバネ性、弾力性のある素材を使うことにより、そのバネ性を利用し、簡単に上枠２を下枠１に固定することができた。それにより、簡単なレンズの着脱も可能である。
【００１０】
色のついたレンズと取り替えることにより、ファッション性、及び実用性を高めた。
【００１１】
変更実施例として、図２において、先端に止め具10のついたワイヤー９を下枠にロー付等で取り付ける。下枠１に取り付けた受け具11に留め具10を差し込み、レンズ12を固定した。
この時、レンズ12の上部の長さ13とワイヤー９の長さ14は同じとする。
これにより、レンズ上部の形を変えても13と14が同じであれば、取り付けが可能である。
【図面の簡単な説明】
【００１２】
【図１】本考案実施例における眼鏡枠。
【図２】変更実施例における眼鏡枠
【符号の説明】
【００１３】
１  眼鏡下枠
２   〃 上枠
３  ピンやネジ等
４  下枠の結合部
５  上枠  〃
６  レンズ
７  下枠の開口部の幅
８  上枠    〃
９  ワイヤー
１０  止め具
１１  受け具
１２  レンズ
１３  レンズ上部の長さ
１４  ワイヤーの長さ
【図１】
0003113013.tif 000003
【図２】
0003113013.tif 000004
(57)【要約】      （修正有）【課題】赤外線自動感知効能を持つ、スタンドライトミラーの構造改良。【解決手段】鏡のふち２０、かさの後ろ蓋２１、灯管２２、安定器２３、スイッチコントロール感知器２４、赤外線発射接収モジュール２５等の構造元件を含み、かさの後ろ蓋の下方に、断面L型の測定パネル３０を設置し、当測定パネルにウィンドウ３１を設置し、其の内側には透明パネル３２があり、それぞれ傍にある四つの面には固定柱３３があり、赤外線発射接収モジュール２５が固定でき、背板をも固定する。上のような方法で、スイッチセンサーコントロール機２４、安定器２３、灯管２２等の部品とつなげ、赤外線の自動感知効能を発生させ、使用上人の手が測定パネル３０の一定距離にあれば、即自動的にライトがオンになる効能を発生させる。【選択図】図４
0003113020.tif 000002
【実用新案登録請求の範囲】
【請求項１】
一種のスタンドライトミラーの改良で、其の構造設計には、鏡のふち、かさの後ろ蓋、灯管、安定器、スイッチコントロール感知器及び赤外線発射接収モジュール等の構造部品を含み、かさの後ろ蓋の下に伸びたところには、断面L型の測定パネルがあり、その測定パネルには、ウィンドウがあり、更に、其の内側には、透明パネルが固定され、それぞれ傍にある四つの面には固定柱があり、赤外線発射接収モジュールが装置及び固定できるようになっており、背板をも固定し、これにより、スタンドライトミラーが赤外線自動感知照明の効能を発生させることを特徴とするスタンドライトミラーの構造。
【考案の詳細な説明】
【技術分野】
【０００１】
本考案はスタンドライトミラーの構造改良に関し、特にスタンドライトミラー構造体の改良設計に関するものであり、スタンドライトミラーが赤外線自動感知効能を持ち合わせ、伝統の照明器具の使用方法を突破した充分なる全体の使用価値を高めるスタンドライトミラーの構造改良考案である。
【背景技術】
【０００２】
図一に示されたとおり、慣用されたスタンドライトミラーの立体見取り図である。
【考案の開示】
【考案が解決しようとする課題】
【０００３】
当スタンドライトミラー（１０）の構造は、鏡本体のかさ（１１）内部に照明器具を設置し、電源腺を配置したものである。スイッチ（１３）により、照明コントロールの目的に達し、使用上手でプッシュしなければならなく、使用上不便なために、考案者が考え出した図二のようなタッチコントロール式のスタンドライトミラーが出来上がった（アメリカ考案専利第5940060号）。その設置された空心螺子、タッチスイッチ（１５）等の構造部品の設計組み合わせを利用することによって、タッチコントロール効能に達し、当商品の使用者にも好評をえた。しかし、当商品が使用上やはり手でタッチせねばコントロール効果に達せないことやその使いやすさもまだ足りないので、考案者はこれだけで満足しなかった。
【０００４】
図三の本考案の組み立て立体見取り図、図四の本考案の立体分解見取り図、図五の本考案の測定パネルの立体分解見取り図、図六の本考案の測定パネルの組み立て断面図及び図七の本考案の電路説明図をご覧ください。
【０００５】
図によりますと、本考案は構造設計上、鏡のふち（２０）、かさの後ろ蓋（２１）、灯管（２２）、安定器（２３）、スイッチコントロール感知器（２４）、赤外線発射接収モジュール（２５）等の構造元件を含み其の設計の主点は、かさの後ろ蓋（２１）の下方に、断面L型の測定パネル（３０）を設置し、当測定パネル（３０）にウィンドウ（３１）を設置する。また、其の内側には透明パネル（３２）があり、それぞれ傍にある四つの面には固定柱（３３）があり、赤外線発射接収モジュール（２５）が装置及び固定できるようになっており、背板をも固定する。上のような方法で、スイッチセンサーコントロール機（２４）、安定器（２３）、灯管（２２）等の部品とつなげ（図七の如く）、赤外線の自動感知効能を発生させ、使用上人の手が測定パネル（３０）の一定距離にあれば、即自動的にライトがオンになる効能を発生させることができる。
【考案の効果】
【０００６】
その優れた構造設計及び組み立ては、習慣的にスタンドライトミラーを手動でコントロール、タッチコントロールから本考案の自動感知コントロールへと切り替えさせることができる。このような違った慣習用品の構造及び空間携帯の組み合わせは、使用上の便利性を高め、スタンドライトミラーの使用を更に、マーケット上にない新しい効能を具し、充分にそのすばらしい効能を発揮させることができる。
本考案は、設計上長方形、正方形、円形、楕円形などの鏡、鏡のふちに応用することができ、その構造設計原理はすべてにおいて共通である。
【図面の簡単な説明】
【０００７】
【図１】習慣的に使われるスタンドライトミラーの立体見取図である。
【図２】習慣的に使われるスタンドライトミラーの立体分解見取図である。
【図３】本考案の組み立て立体見取り図である。
【図４】本考案の立体分解見取図である。
【図５】本考案の測定パネルの立体分解見取図である。
【図６】本考案の測定パネルの組み立て断面図である。
【図７】本考案の電路説明図である。
【符号の説明】
【０００８】
１０    スタンドライトミラー
１１    かさ
１３    スイッチ
１５    タッチスイッチ
２０    鏡のふち
２１    かさの後ろ蓋
２２    灯管
２３    安定器
２４    スイッチコントロール感知器
２５    赤外線発射接収モジュール
２６    信号指示灯
３０    測定パネル
３１    ウィンドウ
３２    透明パネル
３３    固定柱
３４    背板
３５    電源指示灯
【図１】
0003113020.tif 000003
【図２】
0003113020.tif 000004
【図３】
0003113020.tif 000005
【図４】
0003113020.tif 000006
【図５】
0003113020.tif 000007
【図６】
0003113020.tif 000008
【図７】
0003113020.tif 000009
(57)【要約】      （修正有）【課題】洗面台等においても、簡単にこすり洗いによる洗濯が行えるように、簡便な構造のシンクを提供すること。【解決手段】シンク２の内面側面部の一部分に、表面が凹凸及び／又は波形面に形成されたこすり洗い部３を設けたことを特徴とするシンク。具体的には、シンクの左右側面部のいずれか片方又は両方、あるいはシンクの手前側面部にこすり洗い部を設ける。【選択図】図１
0003113016.tif 000002
【実用新案登録請求の範囲】
【請求項１】
シンクの内面側面部の一部分に、表面が凹凸及び／又は波形面に形成されたこすり洗い部を設けたことを特徴とするシンク。
【請求項２】
シンクの左右側面部の、いずれか片方又は両方にこすり洗い部を設けた請求項１記載のシンク。
【請求項３】
シンクの手前側面部に、こすり洗い部を設けた請求項１又は２記載のシンク。
【考案の詳細な説明】
【技術分野】
【０００１】
本考案は、洗面台等に使用されるシンクの構造に関し、更に詳しくは、こすり洗い部を有するシンクに関する。
【背景技術】
【０００２】
洗面台や台所の流し台に設けられたシンクは、通常、ステンレス、プラスチック、陶磁器、ガラス等で作られた水槽であり、その形は様々なものがあるが、その内表面（底面部と側面部からなる）は一般的にスムーズな平滑面となっている。これは、水はけや汚れの付着防止、あるいは清掃等のためには、シンクの内表面は平滑である方が便利であるからである。
【０００３】
シンクへ汚れの付着、特に水垢の付着を防ぐために、シンクの構造を工夫することも行われている。即ち、シンクの底面部に衝突した水が飛沫となって飛散してシンクの内面の側面部に当たり、飛沫の水滴が表面張力により側面部に付着したままの状態となり、これが水垢の原因になるということから、水滴の付着を防止するために、シンクの内面の側面部を凹凸面とすることが提案されている（特許文献１）。しかし、このシンクは、あくまでも水滴の付着防止が目的であり、側面部の全面を凹凸面とし、しかも凹凸面の凸部の幅や凹部の幅（０．１〜３ｍｍ）は、水滴（直径が２〜３ｍｍ）よりも小さいものでなければならない。
【特許文献１】特開２００４−３１６１９５号公報
【０００４】
ところで、例えば、洗面台のシンクは、洗面を行う他に洗濯に利用されることが日常的に良くあることであるが、通常のシンクでは、小物の手もみ洗い程度の洗濯しか行うことができない。これを解決するために、洗剤溶液中に汚れのひどい洗濯物等を予め浸漬しておくための洗面ボールを、洗濯シンクと並設し、両者を区別する隔壁の上面に、複数の凹溝又は突条を連設した洗面カウンターが提案されている（特許文献２）。また、表面が凹凸面に形成されたこすり洗い部を、シンクとは別にシンクの横側部に設け、このこすり洗い部の凹凸面をシンク側に抜ける水切り面に構成して、水がシンクの方に流れ落ちるようにした洗面台も提案されている（特許文献３）。
【特許文献２】特開平８−２５６９２６号公報
【特許文献３】特開平９−１７３２２８号公報
【０００５】
しかしながら、これらの洗面カウンターあるいは洗面台は、洗面ボールやこすり洗い部が、シンクとは別に設けられているものであるから、洗面台として簡便ではなく、また、従来の洗面台のイメージとかなり異なるために、美観を損ねるという欠点もある。
【考案の開示】
【考案が解決しようとする課題】
【０００６】
本考案の課題は、洗面台等においても、簡単にこすり洗いによる洗濯が行えるように、簡便な構造のシンクを提供することである。
【課題を解決するための手段】
【０００７】
本考案の請求項1に記載された考案は、シンクの内面側面部の一部分に、表面が凹凸及び／又は波形面に形成されたこすり洗い部を設けたことを特徴とするシンクである。
【０００８】
請求項２に記載された考案は、シンクの左右側面部の、いずれか片方又は両方にこすり洗い部を設けた請求項１記載のシンクである。
【０００９】
そして、請求項３に記載された考案は、シンクの手前側面部に、こすり洗い部を設けた請求項１又は２記載のシンクである。
【考案の効果】
【００１０】
本考案によれば、こすり洗い部は、シンク内面にさりげなく設けられているので、従来の洗面台等のシンクと外観は殆ど変わることがない。そして、必要なときに、簡単に、シンク内でこすり洗いができるという利点がある。
【考案を実施するための最良の形態】
【００１１】
本考案では、シンクの内面のうちの側面部の一部分に、表面が凹凸及び／又は波形面に形成されたこすり洗い部を設ける。こすり洗い部の表面は、１〜１０ｍｍ程度の高さ又は深さの横向きの突条群又は溝群が、前後に数ｍｍ〜数十ｍｍのピッチで多数形成された凹凸面、あるいは波形面に形成されているのが好ましい。しかし、表面の形態は、上記以外のものでも良く、例えば、縦横に小さいピッチで溝あるいは凸条を形成したり、独立した多数の小突起群を設けたものでも良い。洗濯物を、その面で十分にこすり洗いできるような面であれば良い。こすり洗い部の大きさは、特に制限はないが、片手でこすり洗いできるのに十分な大きさがあれば十分である。例えば、幅が５〜１０ｃｍ程度、長さ（底面方向への）が５〜１５ｃｍ程度で十分である。
【００１２】
本考案において、こすり洗い部は、シンクの左右側面部のいずれか片方又は両方に設けるのが適当である。また、シンクの手前側面部にこすり洗い部を設けても良く、あるいは左右側面部と手前側面部にそれぞれ設けても良い。
【００１３】
表面が凹凸及び／又は波形面に形成されたこすり洗い部を有するシンクの作り方としては、シンクの成形時に一体的に成形しても良いし、あるいはシンク本体を成形後、別に成形加工したこすり洗い部を、接着あるいはリベット止め等の方法で装着しても良い。凹凸又は波形を一体成形する場合には、例えば、金型によって、シンクの内面の表面に溝（凹部）を形成するようにしても良く、あるいは逆に、表面に突条（凸部を）形成するようにしても良い。また、これらを混合して形成しても良い。以下、実施例により本考案を説明する。
【実施例】
【００１４】
図１において、１は洗面台を示し、２はシンクを示し、３がシンクの内面の左側面部に設けられたこすり洗い部を示している。こすり洗い部の表面は、凹凸面又は波形面に形成されている。靴下、ハンカチ等の小物や、下着等を、こすり洗い部にこすりつけることによって、効率良く洗濯が可能となる。図１では、こすり洗い部が左側面部に設けられているが、右側面部にも設けられていても良い。また手前側面部に設けられている場合には、通常、より強くこすり洗いができて便利である。
【図面の簡単な説明】
【００１５】
【図１】本考案の、表面が凹凸及び／又は波形面に形成されたこすり洗い部を有するシンクの概略図を示す。
【符号の説明】
【００１６】
１  洗面台
２  シンク
３  左側面に設けられたこすり洗い部
【図１】
0003113016.tif 000003
(57)【要約】      （修正有）【解決手段】口紅容器１に携帯電話用ストラップの取付部４を設け、携帯電話用ストラップの取付を可能とする。【効果】口紅容器に携帯電話用ストラップでの装飾が可能という付加価値を付与することで、他の商品と差別化を図ることができる。【選択図】図１
0003113047.tif 000002
【実用新案登録請求の範囲】
【請求項１】
携帯電話用ストラップの取付部を設け、携帯電話用ストラップの取付が可能なことを特徴とする口紅容器。
【考案の詳細な説明】
【技術分野】
【０００１】  本考案は化粧品に関するものであり、詳しくは口紅の容器に関する。
【背景技術】
【０００２】  これまでの口紅容器は、メーカーがデザインして販売している物であり、購入者はその販売している物の中から選択することは出来るが、自身で装飾する物はなかった。
【考案の開示】
【考案が解決しようとする課題】
【０００３】  口紅容器は、その購入者が自分で装飾をほどこす構造がないため、購入者が装飾し個性を発揮することができず、化粧直し等で人に見られる自分をより美しく表現できない。
【課題を解決するための手段】
【０００４】  口紅容器に携帯電話用ストラップを取り付けるための取付部を設ける。
【考案の効果】
【０００５】  購入者が自分の好みの携帯電話用ストラップで口紅容器を装飾し、個性を発揮できる。【０００６】  口紅容器に携帯電話用ストラップでの装飾が可能という付加価値を付与することで、他の商品と差別化を図ることができる。
【考案を実施するための最良の形態】
【０００７】    口紅容器の本体部（１）又はキャップ部（２）又はその両方に携帯電話用ストラップ取付部（４）を設ける。【０００８】  携帯電話用ストラップ取付部（４）の構造は、穴をトンネル状に繋げた物が一般的だが、本考案では携帯電話用ストラップ（５）の取付が可能ならばどのような構造でも良い。【０００９】  携帯電話用ストラップ取付部（４）を設ける位置は、口紅容器の正面、側面、背面、上面、底面のどの位置でも良く、その数は複数でも良い。【００１０】  携帯電話用ストラップ取付部（４）の大きさ、形、位置は口紅容器本体部（１）及び口紅容器キャップ部（２）の形状にあわせて自由に変えることができるため、口紅容器の形状は問題としない。
【図面の簡単な説明】
【図１】  携帯電話用ストラップ取付部を設けた口紅容器の斜視図。
【図２】  携帯電話用ストラップ取付部の拡大図。
【符号の説明】
１  口紅容器本体
２  口紅容器キャップ
３  口紅
４  携帯電話用ストラップ取付部
５  携帯電話用ストラップ
【図１】
0003113047.tif 000003
【図２】
0003113047.tif 000004
(57)【要約】      （修正有）【課題】スリーブと足踏み体が脱着自在に嵌合して一体になり、両者を嵌合した場合には、使用者の足がレストでき、足踏みホイルを使用しない場合には、足踏み体はスリーブから容易に分離することができる。【解決手段】スリーブ２１と、足踏み体２２とから構成されたものであり、前記スリーブは、椅子の下の支持ロッドに緊迫し定位され、上面には前記足踏み体に設けた係止段２２１に脱着自在に嵌合するための溝２２２が設けてあることを特徴とする椅子用足踏みホイルの構造。【選択図】図２
0003113043.tif 000002
【実用新案登録請求の範囲】
【請求項１】
スリーブと、足踏み体とから構成されたものであり、前記スリーブは、椅子の下の支持ロッドに緊迫し定位され、上面には前記足踏み体に設けた係止段に脱着自在に嵌合するための溝が設けてあることを特徴とする、
椅子用足踏みホイルの構造。
【考案の詳細な説明】
【技術分野】
【０００１】
本考案は、椅子用足踏みホイルの構造に係り、特に、スリーブと足踏み体が脱着自在に嵌合して一体になり、両者を嵌合した場合には、使用者の足がレストでき、足踏みホイルを使用しない場合には、足踏み体はスリーブから容易に分離することができる椅子用足踏みホイルの構造に関するものである。
【背景技術】
【０００２】
まず、図１を参照する。従来の椅子の下の支持ロッド１０に取り付けた足踏みホイル１は、使用者の足が踏んでレストできるためのものである。
【０００３】
従来の椅子用足踏みホイル１の構造は、複数の支持アーム１１により内外リング体１２，１３を連結し、前記内リング体１２の内面には一つのＣ型リング１４が設置してあり、前記内リング体１２の壁にはねじ穴１２１が開設してあり、なお、螺旋段を持つツマミ１５がねじ穴１２１にねじ込んでＣ型リング１４を圧迫して、Ｃ型リング１４が支持ロッド１０の周面に圧迫し、これにより、足踏みホイル１が支持ロッド１０に固定する。
【考案の開示】
【考案が解決しようとする課題】
【０００４】
しかしながら、支持ロッド１０を成形するときに、その周面が上から下へやや拡大する傾斜状を呈し、その傾斜角度が大きくないが、その上で足踏みホイル１を固定して足踏みホイル１を長期間に使用されたと、Ｃ型リング１４と、内リング体１２と、支持ロッド１０の周面とが互いに強固に係った状態になり、使用者が前記足踏みホイル１を使用したくない場合には、足踏みホイル１を取外すことができなく、更に工具によって足踏みホイル１を取外すときには、外リング体または支持アーム１１が断裂しても、足踏みホイル１を取外すこともでくない問題がよくあった。
【課題を解決するための手段】
【０００５】
上記欠点を解決するためになされた本願の考案は、スリーブと、足踏み体とから構成されたものであり、前記スリーブは、椅子の下の支持ロッドに緊迫し定位され、上面には前記足踏み体に設けた係止段に脱着自在に嵌合するための溝が設けてあることを特徴とする椅子用足踏みホイルの構造であることを要旨としている。
【考案の効果】
【０００６】
本考案に係る椅子用足踏みホイルの構造によれば、スリーブと足踏み体が脱着自在に嵌合して一体になり、両者を嵌合した場合には、使用者の足がレストでき、足踏みホイルを使用しない場合には、足踏み体はスリーブから容易に分離することができる。
【考案を実施するための最良の形態】
【０００７】
以下、添付図面を参照して本考案の好適な実施の形態を詳細に説明する。
【０００８】
まず、図２を参照する。本考案に係る椅子用足踏みホイルの構造は、スリーブ２１と、足踏み体２２とから構成されたものである。
【０００９】
前記スリーブ２１は、内面にＣ型リング２１１が設置してあり、周壁にねじ穴２１２が開設してあり、なお、螺旋段を持つツマミ２１３がねじ穴２１２にねじ込んでＣ型リング２１１を圧迫して、Ｃ型リング２１１が支持ロッド１０の周面に圧迫し、これにより、スリーブ２１が支持ロッド１０に固定し、なお、スリーブ２１の上面には溝２１４が設けてあり、足踏み体２２を前記溝２１４に嵌合すると、両者が一体になる。
【００１０】
前記足踏み体２２は、使用者の足がその上でレストでき、スリーブ２１に嵌合すると両者が一体になり、なお、スリーブ２１に設けた溝２１４に対応する箇所では係止段２２１が設けてあり、前記係止段２２１の外側には嵌合溝２２２が設けてあり、そうすると、前記係止段２２１がスリーブ２１に設けた溝２１４に嵌合するときに、溝２１４の側壁が嵌合溝２２２に嵌合して安定に定位される。
【００１１】
また、図３に示すのは、本考案を椅子に取り付けた状態を示す断面図である。
【００１２】
本考案を椅子の下の支持ロッド１０に取付けようとする場合には、スリーブ２１を支持ロッド１０に嵌めて、ツマミ２１３をねじ込むことにより、スリーブ２１の内面のＣ型リング２１１が支持ロッド１０を圧迫し、そうすると、スリーブ２１が支持ロッド１０に安定に固定し、また、足踏み体２２には係止段２２１と嵌合溝２２２とが設けてあるので、係止段２２１を上から下へ溝２１４に嵌合すると、スリーブ２１と足踏み体２２が一体になる。
【００１３】
また、図４に示すのは、本考案の他の実施状態を示す断面図である。
【００１４】
足踏み体２２を使用しない場合には、足踏み体２２を下から上へ上げて、足踏み体２２に設けた係止段２２１と嵌合溝２２２とをスリーブ２１に設けた溝２１４から離脱させると、足踏み体２２とスリーブ２１が分離状態になり、足踏み体２２を椅子から取出すと、椅子全体は足踏みホイルが付いてない椅子になる。
【００１５】
だから、上記構造により、椅子の支持ロッド１０にスリーブ２１を事前に固定して、使用者は必要を見て足踏みホイル２２を使用するかどうかを選択することができ、且つ足踏み体２２とスリーブ２１の嵌合は極めて容易であるので、足踏み体２２の脱着は極めて便利である。
【図面の簡単な説明】
【００１６】
【図１】従来のものの分解斜視図である。
【図２】本考案の分解斜視図である。
【図３】本考案を椅子に取り付けた状態を示す断面図である。
【図４】本考案の他の実施状態を示す断面図である。
【符号の説明】
【００１７】
１０      支持ロッド                １        足踏みホイル
１１      支持アーム                １２      内リング体
１２１    ねじ穴                    １３      外リング体
１４      Ｃ型リング                １５      ツマミ
２        足踏みホイル              ２１      スリーブ
２１１    Ｃ型リング                ２１２    ねじ穴
２１３    ツマミ                    ２１４    溝
２２      足踏み体                  ２２１    係止段
２２２    嵌合溝
【図１】
0003113043.tif 000003
【図２】
0003113043.tif 000004
【図３】
0003113043.tif 000005
【図４】
0003113043.tif 000006